(57)【要約】【課題】患者の個人情報を数値化して登録の際のチェックデジットとして利用することで、既存の医療機関のシステムに大きな変更を加えることなく患者の２重登録を防ぐことができる患者情報管理システム等を提供することを課題とする。【解決手段】本発明にかかる患者情報管理システムは、患者識別情報生成装置において、各病院が個別に管理する患者の情報である患者情報から患者識別チェック情報を生成し、生成された患者識別チェック情報と対応する患者の患者番号とを組み合わせて患者識別情報を作成し、作成された患者識別情報を患者識別情報管理装置に送信し、患者識別情報管理装置において、送信された患者識別情報を受信し、受信された患者識別情報の患者識別チェック情報が同一である患者番号を名寄せする。【選択図】      図２
2004287604.tif 000002
【特許請求の範囲】
【請求項１】
患者識別情報生成装置と患者識別情報管理装置とをネットワークを介して通信可能に接続した患者情報管理システムであって、
上記患者識別情報生成装置は、
各病院が個別に管理する患者の情報である患者情報から患者識別チェック情報を生成する患者識別チェック情報生成手段と、
上記患者識別チェック情報生成手段により生成された上記患者識別チェック情報と対応する上記患者の患者番号とを組み合わせて患者識別情報を作成する患者識別情報作成手段と、
上記患者識別情報作成手段により作成された上記患者識別情報を上記患者識別情報管理装置に送信する患者識別情報送信手段と、を備え、
上記患者識別情報管理装置は、
上記患者識別情報送信手段により送信された上記患者識別情報を受信する患者識別情報受信手段と、
上記患者識別情報受信手段により受信された上記患者識別情報の上記患者識別チェック情報が同一である上記患者番号を名寄せする名寄せ手段と、を備えたことを特徴とする患者情報管理システム。
【請求項２】
上記患者情報は、上記患者の氏名および／または生年月日であること、を特徴とする請求項１に記載の患者情報管理システム。
【請求項３】
患者識別情報生成装置と患者識別情報管理装置とをネットワークを介して通信可能に接続した患者情報管理システムを用いて実行される患者情報管理方法であって、
上記患者識別情報生成装置において、各病院が個別に管理する患者の情報である患者情報から患者識別チェック情報を生成する患者識別チェック情報生成ステップと、
上記患者識別情報生成装置において、上記患者識別チェック情報生成ステップにより生成された上記患者識別チェック情報と対応する上記患者の患者番号とを組み合わせて患者識別情報を作成する患者識別情報作成ステップと、
上記患者識別情報生成装置において、上記患者識別情報作成ステップにより作成された上記患者識別情報を上記患者識別情報管理装置に送信する患者識別情報送信ステップと、
上記患者識別情報管理装置において、上記患者識別情報送信ステップにより送信された上記患者識別情報を受信する患者識別情報受信ステップと、
上記患者識別情報管理装置において、上記患者識別情報受信ステップにより受信された上記患者識別情報の上記患者識別チェック情報が同一である上記患者番号を名寄せする名寄せステップと、を含むことを特徴とする患者情報管理方法。
【請求項４】
上記患者情報は、上記患者の氏名および／または生年月日であること、を特徴とする請求項３に記載の患者情報管理方法。
【請求項５】
各病院が個別に管理する患者の情報である患者情報から患者識別チェック情報を生成する患者識別チェック情報生成手段と、
上記患者識別チェック情報生成手段により生成された上記患者識別チェック情報と対応する上記患者の患者番号とを組み合わせて患者識別情報を作成する患者識別情報作成手段と、を備えたことを特徴とする患者識別情報生成装置。
【請求項６】
上記患者識別情報を送信する患者識別情報送信手段、をさらに備えたことを特徴とする請求項５に記載の患者識別情報生成装置。
【請求項７】
上記患者情報は、上記患者の氏名および／または生年月日であること、を特徴とする請求項５に記載の患者識別情報生成装置。
【請求項８】
患者識別チェック情報と対応する患者の患者番号とを組み合わせた患者識別情報を受信する患者識別情報受信手段と、
上記患者識別情報受信手段により受信された上記患者識別情報の上記患者識別チェック情報が同一である上記患者番号を名寄せする名寄せ手段と、を備えたことを特徴とする患者識別情報管理装置。
【請求項９】
患者識別情報生成装置と患者識別情報管理装置とを含む患者情報管理システムであって、
上記患者識別情報生成装置は、
各病院が個別に管理する患者の情報である患者情報から患者識別チェック情報を生成する患者識別チェック情報生成手段と、
上記患者識別チェック情報生成手段により生成された上記患者識別チェック情報と対応する上記患者の患者番号とを組み合わせて患者識別情報を作成する患者識別情報作成手段と、を備え、
上記患者識別情報管理装置は、
上記患者識別情報作成手段により上記患者識別情報生成装置にて作成された上記患者識別情報の上記患者識別チェック情報が同一である上記患者番号を名寄せする名寄せ手段と、を備えたことを特徴とする患者情報管理システム。
【請求項１０】
上記患者情報は、上記患者の氏名および／または生年月日であること、を特徴とする請求項９に記載の患者情報管理システム。
【請求項１１】
患者識別チェック情報と対応する患者の患者番号とを組み合わせた患者識別情報の上記患者識別チェック情報が同一である上記患者番号を名寄せする名寄せ手段、を備えたことを特徴とする患者識別情報管理装置。
【発明の詳細な説明】
【０００１】
【発明の属する技術分野】
本発明は、患者情報管理システム、患者情報管理方法、患者識別情報生成装置、および、患者識別情報管理装置に関し、特に、患者の個人情報を数値化して登録の際のチェックデジットとして利用することで、既存の医療機関のシステムに大きな変更を加えることなく患者の２重登録を防ぐことができる患者情報管理システム、患者情報管理方法、患者識別情報生成装置、および、患者識別情報管理装置に関する。
【０００２】
【従来の技術】
現在、遺伝子等の研究が進展するに伴い、複数の医療機関の協力を得て大規模に患者を募集して研究を推進する機運が高まっている。
【０００３】
そして、このような大規模な研究においては、募集した患者の情報管理が大変重要になってくる。
【０００４】
【発明が解決しようとする課題】
しかしながら、従来における匿名化方式では、連結可能匿名化であったとしても一人の患者が医療機関を複数受診している時は、研究サイドから患者の２重登録を防ぐ有効な手立てがないという問題点がある。
【０００５】
また、２重登録を防ごうとした場合は、複数の医療機関同士が患者のデータベースを共有するなど、現状のシステムに対して大きな変更を必要とするという問題点がある。
【０００６】
このように、従来のシステム等は数々の問題点を有しており、その結果、システムの利用者および管理者のいずれにとっても、利便性が悪く、また、利用効率が悪いものであった。
【０００７】
本発明は上記問題点に鑑みてなされたもので、患者の個人情報を数値化して登録の際のチェックデジットとして利用することで、既存の医療機関のシステムに大きな変更を加えることなく患者の２重登録を防ぐことができる患者情報管理システム、患者情報管理方法、患者識別情報生成装置、および、患者識別情報管理装置を提供することを目的としている。
【０００８】
【課題を解決するための手段】
このような目的を達成するために、請求項１に記載の患者情報管理システムは、患者識別情報生成装置と患者識別情報管理装置とをネットワークを介して通信可能に接続した患者情報管理システムであって、上記患者識別情報生成装置は、各病院が個別に管理する患者の情報である患者情報から患者識別チェック情報を生成する患者識別チェック情報生成手段と、上記患者識別チェック情報生成手段により生成された上記患者識別チェック情報と対応する上記患者の患者番号とを組み合わせて患者識別情報を作成する患者識別情報作成手段と、上記患者識別情報作成手段により作成された上記患者識別情報を上記患者識別情報管理装置に送信する患者識別情報送信手段とを備え、上記患者識別情報管理装置は、上記患者識別情報送信手段により送信された上記患者識別情報を受信する患者識別情報受信手段と、上記患者識別情報受信手段により受信された上記患者識別情報の上記患者識別チェック情報が同一である上記患者番号を名寄せする名寄せ手段とを備えたことを特徴とする。
【０００９】
このシステムによれば、患者識別情報生成装置は、各病院が個別に管理する患者の情報である患者情報から患者識別チェック情報を生成し、生成された患者識別チェック情報と対応する患者の患者番号とを組み合わせて患者識別情報を作成し、作成された患者識別情報を患者識別情報管理装置に送信し、患者識別情報管理装置は、送信された患者識別情報を受信し、受信された患者識別情報の患者識別チェック情報が同一である患者番号を名寄せするので、患者の２重登録を防ぐことができ、研究機関はより正確なデータを収集できる。
【００１０】
また、医療機関は、既存システムの変更をする必要がなく、また、研究機関は、患者の氏名等の特定をせずに名寄せを行うことができ、容易に研究に協力できる。
【００１１】
また、患者情報の数値化には、一方向関数（例えば、ハッシュ関数など）を利用してもよい。このような一方向関数を用いた数値化を行うことにより数値から患者情報を再現することが不可能となり、高い安全性を確保することができるようになる。
【００１２】
また、請求項２に記載の患者情報管理システムは、請求項１に記載の患者情報管理システムにおいて、上記患者情報は、上記患者の氏名および／または生年月日であることを特徴とする。
【００１３】
これは患者情報の一例を一層具体的に示すものである。このシステムによれば、患者情報は、患者の氏名および／または生年月日であるので、これらの各患者の必須項目に基づいて個人を明確に識別することができるため、医療機関による導入負担を少なく実現することができる。
【００１４】
また、本発明は患者情報管理方法に関するものであり、請求項３に記載の患者情報管理方法は、患者識別情報生成装置と患者識別情報管理装置とをネットワークを介して通信可能に接続した患者情報管理システムを用いて実行される患者情報管理方法であって、上記患者識別情報生成装置において、各病院が個別に管理する患者の情報である患者情報から患者識別チェック情報を生成する患者識別チェック情報生成ステップと、上記患者識別情報生成装置において、上記患者識別チェック情報生成ステップにより生成された上記患者識別チェック情報と対応する上記患者の患者番号とを組み合わせて患者識別情報を作成する患者識別情報作成ステップと、上記患者識別情報生成装置において、上記患者識別情報作成ステップにより作成された上記患者識別情報を上記患者識別情報管理装置に送信する患者識別情報送信ステップと、上記患者識別情報管理装置において、上記患者識別情報送信ステップにより送信された上記患者識別情報を受信する患者識別情報受信ステップと、上記患者識別情報管理装置において、上記患者識別情報受信ステップにより受信された上記患者識別情報の上記患者識別チェック情報が同一である上記患者番号を名寄せする名寄せステップとを含むことを特徴とする。
【００１５】
この方法によれば、患者識別情報生成装置において、各病院が個別に管理する患者の情報である患者情報から患者識別チェック情報を生成し、患者識別情報生成装置において、生成された患者識別チェック情報と対応する患者の患者番号とを組み合わせて患者識別情報を作成し、患者識別情報生成装置において、作成された患者識別情報を患者識別情報管理装置に送信し、患者識別情報管理装置において、送信された患者識別情報を受信し、患者識別情報管理装置において、受信された患者識別情報の患者識別チェック情報が同一である患者番号を名寄せするので、患者の２重登録を防ぐことができ、研究機関はより正確なデータを収集できる。
【００１６】
また、医療機関は、既存システムの変更をする必要がなく、また、研究機関は、患者の氏名等の特定をせずに名寄せを行うことができ、容易に研究に協力できる。
【００１７】
また、患者情報の数値化には、一方向関数（例えば、ハッシュ関数など）を利用してもよい。このような一方向関数を用いた数値化を行うことにより数値から患者情報を再現することが不可能となり、高い安全性を確保することができるようになる。
【００１８】
また、請求項４に記載の患者情報管理方法は、請求項３に記載の患者情報管理方法において、上記患者情報は、上記患者の氏名および／または生年月日であることを特徴とする。
【００１９】
これは患者情報の一例を一層具体的に示すものである。この方法によれば、患者情報は、患者の氏名および／または生年月日であるので、これらの各患者の必須項目に基づいて個人を明確に識別することができるため、医療機関による導入負担を少なく実現することができる。
【００２０】
また、本発明は患者識別情報生成装置に関するものであり、請求項５に記載の患者識別情報生成装置は、各病院が個別に管理する患者の情報である患者情報から患者識別チェック情報を生成する患者識別チェック情報生成手段と、上記患者識別チェック情報生成手段により生成された上記患者識別チェック情報と対応する上記患者の患者番号とを組み合わせて患者識別情報を作成する患者識別情報作成手段とを備えたことを特徴とする。
【００２１】
この装置によれば、各病院が個別に管理する患者の情報である患者情報から患者識別チェック情報を生成し、生成された患者識別チェック情報と対応する患者の患者番号とを組み合わせて患者識別情報を作成するので、医療機関は既存システムの変更をする必要がなく、容易に患者識別情報を作成できる。
【００２２】
また、患者情報の数値化には、一方向関数（例えば、ハッシュ関数など）を利用してもよい。このような一方向関数を用いた数値化を行うことにより数値から患者情報を再現することが不可能となり、高い安全性を確保することができるようになる。
【００２３】
また、請求項６に記載の患者識別情報生成装置は、請求項５に記載の患者識別情報生成装置において、上記患者識別情報を送信する患者識別情報送信手段をさらに備えたことを特徴とする。
【００２４】
この装置によれば、チェックデジットを付加して患者識別情報を送信するので、患者の氏名等を特定せずに容易にインターネット等で患者識別情報の送信ができ、安全性を高く維持したまま情報の共有化を図ることができる。
【００２５】
また、請求項７に記載の患者識別情報生成装置は、請求項５に記載の患者識別情報生成装置において、上記患者情報は、上記患者の氏名および／または生年月日であることを特徴とする。
【００２６】
これは患者情報の一例を一層具体的に示すものである。この装置によれば、患者情報は、患者の氏名および／または生年月日であるので、これらの各患者の必須項目に基づいて個人を明確に識別することができるため、医療機関による導入負担を少なく実現することができる。
【００２７】
また、本発明は患者識別情報管理装置に関するものであり、請求項８に記載の患者識別情報管理装置は、患者識別チェック情報と対応する患者の患者番号とを組み合わせた患者識別情報を受信する患者識別情報受信手段と、上記患者識別情報受信手段により受信された上記患者識別情報の上記患者識別チェック情報が同一である上記患者番号を名寄せする名寄せ手段とを備えたことを特徴とする。
【００２８】
この装置によれば、患者識別チェック情報と対応する患者の患者番号とを組み合わせた患者識別情報を受信し、受信された患者識別情報の患者識別チェック情報が同一である患者番号を名寄せするので、患者の２重登録を防ぐことができ、研究機関はより正確なデータを収集できる。
【００２９】
また、研究機関は、患者の氏名等の特定をせずに名寄せを行うことができ、容易に研究に協力できる。
【００３０】
また、本発明は、患者情報管理システムに関するものであり、請求項９に記載の患者情報管理システムは、患者識別情報生成装置と患者識別情報管理装置とを含む患者情報管理システムであって、上記患者識別情報生成装置は、各病院が個別に管理する患者の情報である患者情報から患者識別チェック情報を生成する患者識別チェック情報生成手段と、上記患者識別チェック情報生成手段により生成された上記患者識別チェック情報と対応する上記患者の患者番号とを組み合わせて患者識別情報を作成する患者識別情報作成手段とを備え、上記患者識別情報管理装置は、上記患者識別情報作成手段により上記患者識別情報生成装置にて作成された上記患者識別情報の上記患者識別チェック情報が同一である上記患者番号を名寄せする名寄せ手段とを備えたことを特徴とする。
【００３１】
このシステムによれば、患者識別情報生成装置は、各病院が個別に管理する患者の情報である患者情報から患者識別チェック情報を生成し、生成された患者識別チェック情報と対応する患者の患者番号とを組み合わせて患者識別情報を作成し、患者識別情報管理装置は、患者識別情報生成装置にて作成された患者識別情報の患者識別チェック情報を例えばオフラインで記録媒体を介して搬送および記録し、その患者識別チェック情報に基づいて同一である患者番号を名寄せするので、患者の２重登録を防ぐことができ、研究機関はより正確なデータを収集できる。
【００３２】
また、医療機関は、既存システムの変更をする必要がなく、また、研究機関は、患者の氏名等の特定をせずに名寄せを行うことができ、容易に研究に協力できる。
【００３３】
また、患者情報の数値化には、一方向関数（例えば、ハッシュ関数など）を利用してもよい。このような一方向関数を用いた数値化を行うことにより数値から患者情報を再現することが不可能となり、高い安全性を確保することができるようになる。
【００３４】
また、請求項１０に記載の患者情報管理システムは、請求項９に記載の患者情報管理システムにおいて、上記患者情報は、上記患者の氏名および／または生年月日であることを特徴とする。
【００３５】
これは患者情報の一例を一層具体的に示すものである。このシステムによれば、患者情報は、患者の氏名および／または生年月日であるので、これらの各患者の必須項目に基づいて個人を明確に識別することができるため、医療機関による導入負担を少なく実現することができる。
【００３６】
また、本発明は患者識別情報管理装置に関するものであり、請求項１１に記載の患者識別情報管理装置は、患者識別チェック情報と対応する患者の患者番号とを組み合わせた患者識別情報の上記患者識別チェック情報が同一である上記患者番号を名寄せする名寄せ手段を備えたことを特徴とする。
【００３７】
この装置によれば、患者識別チェック情報と対応する患者の患者番号とを組み合わせた患者識別情報の患者識別チェック情報を例えばオフラインで記録媒体を介して搬送および記録し、その患者識別チェック情報に基づいて同一である患者番号を名寄せするので、患者の２重登録を防ぐことができ、研究機関はより正確なデータを収集できる。
【００３８】
また、研究機関は、患者の氏名等の特定をせずに名寄せを行うことができ、容易に研究に協力できる。
【００３９】
【発明の実施の形態】
以下に、本発明にかかる患者情報管理システム、患者情報管理方法、患者識別情報生成装置、および、患者識別情報管理装置の実施の形態を図面に基づいて詳細に説明する。なお、この実施の形態によりこの発明が限定されるものではない。
【００４０】
［本発明の概要］
以下、本発明の概要について説明し、その後、本発明の構成および処理等について詳細に説明する。図１は本発明における患者情報管理システムの概要を示す図であり、該概要のうち本発明に関係する部分のみを概念的に示している。
【００４１】
本発明は、概略的に、以下の基本的特徴を有する。すなわち、図１に示すように、本発明の患者情報管理システムは、概略的に、各医療機関、例えば、病院などが個別に管理する患者識別情報生成装置１００と、研究機関などが管理する患者識別情報管理装置２００とを、ネットワーク３００を介して通信可能に接続して構成される。
【００４２】
ここで、患者識別情報生成装置１００は、例えば、氏名、生年月日などの患者情報を数値化した患者識別チェック情報と対応する患者番号とを組み合わせて患者識別情報を生成する機能を有する。
【００４３】
また、患者識別情報管理装置２００は、複数の医療機関から受信した患者識別情報の患者識別チェック情報が同一である患者番号を名寄せし、患者の２重登録を防ぐ機能を有する。
【００４４】
ここで、本発明における患者情報管理システムの基本原理について、図２を参照して説明する。図２は、本発明における患者情報管理システムの基本原理を示す図である。
【００４５】
まず、患者識別情報生成装置１００は、各医療機関、例えば、病院などが個別に管理する患者情報から、当該患者情報を数値化した情報である患者識別チェック情報を生成する（ステップＳ−１）。
【００４６】
ここで、当該患者情報は、例えば、患者の氏名および／または患者の生年月日などでもよい。
【００４７】
また、患者情報の数値化には、一方向関数（例えば、ハッシュ関数など）を利用してもよい。このような一方向関数を用いた数値化を行うことにより数値から患者情報を再現することが不可能となり、高い安全性を確保することができるようになる。
【００４８】
ついで、患者識別情報生成装置１００は、患者識別チェック情報と対応する患者番号とを組み合わせて患者識別情報を作成する（ステップＳ−２）。
【００４９】
ここで、当該患者番号は、各医療機関、例えば、病院などが個別に管理する各患者に付された識別番号である。
【００５０】
ついで、患者識別情報生成装置１００は、作成された当該患者識別情報を患者識別情報管理装置２００に送信する（ステップＳ−３）。
【００５１】
ついで、患者識別情報管理装置２００は、患者識別情報生成装置１００より送信された当該患者識別情報を受信する（ステップＳ−４）。
【００５２】
さらに、患者識別情報管理装置２００は、受信された当該患者識別情報の患者識別チェック情報が同一である患者番号を名寄せする（ステップＳ−５）。
【００５３】
なお、本発明において、患者識別情報生成装置１００と、患者識別情報管理装置２００とを、ネットワーク３００を介して通信可能に接続して構成される場合を一例に説明したが、かかる場合に限定されることなく、ネットワーク３００を介さずオフラインで媒体を搬送し、チェックする構成をとってもよい。
【００５４】
具体的には、患者識別情報生成装置１００は、各病院が個別に管理する患者の情報である患者情報から患者識別チェック情報を生成し、生成された患者識別チェック情報と対応する患者の患者番号とを組み合わせて患者識別情報を作成し、患者識別情報管理装置２００は、患者識別情報生成装置１００にて作成された患者識別情報の患者識別チェック情報を例えばオフラインで記録媒体を介して搬送および記録し、その患者識別チェック情報に基づいて同一である患者番号を名寄せしてもよい。
【００５５】
［システム構成−患者識別情報生成装置１００］
まず、本システムの構成について説明する。図３は、本発明が適用される患者識別情報生成装置１００のシステム構成の一例を示すブロック図であり、該構成のうち本発明に関係する部分のみを概念的に示している。
【００５６】
本システムは、概略的に、患者識別情報生成装置１００と、患者識別情報管理装置２００とを、ネットワーク３００を介して通信可能に接続して構成されている。
【００５７】
図３において、ネットワーク３００は、患者識別情報生成装置１００と患者識別情報管理装置２００とを相互に接続する機能を有し、例えば、インターネット等である。
【００５８】
図３において、患者識別情報生成装置１００は、概略的に、患者識別情報生成装置１００の全体を統括的に制御するＣＰＵ等の制御部１０２、通信回線等に接続されるルータ等の通信装置（図示せず）に接続される通信制御インターフェース部１０４、入力装置１１２や出力装置１１４に接続される入出力制御インターフェース部１０８、および、各種のデータベースやファイルなどを格納する記憶部１０６を備えて構成されており、これら各部は任意の通信路を介して通信可能に接続されている。さらに、この患者識別情報生成装置１００は、ルータ等の通信装置（図示せず）および専用線等の有線または無線の通信回線を介して、各種の通信ネットワークに通信可能に接続されている。
【００５９】
図３の記憶部１０６に格納される各種のデータベースやテーブルやファイル（患者情報ファイル１０６ａ〜患者識別情報ファイル１０６ｃ）は、固定ディスク装置等のストレージ手段であり、各種処理に用いる各種のプログラムやテーブルやファイルやデータベースやウェブページ用ファイル等を格納する。
【００６０】
これら記憶部１０６の各構成要素のうち、患者情報ファイル１０６ａは、各医療機関、例えば、病院などが個別に管理する、例えば、患者の氏名および／または患者の生年月日などの患者情報と、対応する患者番号とを格納する格納手段である。
【００６１】
図５は、患者情報ファイル１０６ａに格納される情報の一例を示す図である。
この患者情報ファイル１０６ａに格納される情報は、図５に示すように、患者番号と、氏名と、生年月日とを相互に関連付けて格納されている。
【００６２】
ここで、図５は、例えば、患者番号「Ｔ００１１２３４」の氏名「○山△夫」の生年月日が「１９６０年１２月６日」であることが示されている。
【００６３】
また、患者識別チェック情報ファイル１０６ｂは、患者情報を数値化した患者識別チェック情報を格納する格納手段である。
【００６４】
図６は、患者識別チェック情報ファイル１０６ｂに格納される情報の一例を示す図である。この患者識別チェック情報ファイル１０６ｂに格納される情報は、図６に示すように、患者番号と、患者識別チェック情報とを相互に関連付けて格納されている。
【００６５】
ここで、図６は、例えば、患者番号「Ｔ００１１２３４」の患者の患者識別チェック情報が「Ｋ３９ＣＪＤＪ」であることが示されている。
【００６６】
また、患者識別情報ファイル１０６ｃは、患者番号と、対応する患者識別チェック情報とを組み合わせた患者識別情報を格納する格納手段である。
【００６７】
図７は、患者識別情報ファイル１０６ｃに格納される情報の一例を示す図である。この患者識別情報ファイル１０６ｃに格納される情報は、図７に示すように、患者識別情報が格納されている。
【００６８】
ここで、図７は、例えば、患者識別情報が「Ｔ００１１２３４−Ｋ３９ＣＪＤＪ」であることが示されている。
【００６９】
また、図３において、通信制御インターフェース部１０４は、患者識別情報生成装置１００とネットワーク３００（またはルータ等の通信装置）との間における通信制御を行う。すなわち、通信制御インターフェース部１０４は、他の端末と通信回線を介してデータを通信する機能を有する。
【００７０】
また、図３において、入出力制御インターフェース部１０８は、入力装置１１２や出力装置１１４の制御を行う。ここで、出力装置１１４としては、モニタ（家庭用テレビを含む）の他、スピーカを用いることができる（なお、以下においては出力装置１１４をモニタとして記載する場合がある）。また、入力装置１１２としては、バーコードリーダ、キーボード、マウス、および、マイク等を用いることができる。また、モニタも、マウスと協働してポインティングデバイス機能を実現する。
【００７１】
また、図３において、制御部１０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部１０２は、機能概念的に、患者識別チェック情報生成部１０２ａ、患者識別情報作成部１０２ｂ、患者識別情報送信部１０２ｃを含んで構成されている。
【００７２】
このうち、患者識別チェック情報生成部１０２ａは、各医療機関、例えば、病院などが個別に管理する、例えば、患者の氏名および／または患者の生年月日などの患者情報を数値化した患者識別チェック情報を生成する患者識別チェック情報生成手段である。
【００７３】
ここで、患者情報の数値化には、一方向関数（例えば、ハッシュ関数など）を利用してもよい。このような一方向関数を用いた数値化を行うことにより数値から患者情報を再現することが不可能となり、高い安全性を確保することができるようになる。
【００７４】
また、患者識別情報作成部１０２ｂは、患者識別チェック情報生成部１０２ａにより生成された患者識別チェック情報と対応する患者番号とを組み合わせて患者識別情報を作成する患者識別情報手段である。
【００７５】
また、患者識別情報送信部１０２ｃは、患者識別情報作成部１０２ｂにより作成された患者識別情報を患者識別情報管理装置２００に送信する患者識別情報送信手段である。
【００７６】
なお、これら各部によって行われる処理の詳細については、後述する。
【００７７】
［システム構成−患者識別情報管理装置２００］
まず、本システムの構成について説明する。図４は、本発明が適用される患者識別情報管理装置２００のシステム構成の一例を示すブロック図であり、該構成のうち本発明に関係する部分のみを概念的に示している。
【００７８】
本システムは、概略的に、患者識別情報生成装置１００と、患者識別情報管理装置２００とを、ネットワーク３００を介して通信可能に接続して構成されている。
【００７９】
図４において、患者識別情報管理装置２００は、概略的に、患者識別情報管理装置２００の全体を統括的に制御するＣＰＵ等の制御部２０２、通信回線等に接続されるルータ等の通信装置（図示せず）に接続される通信制御インターフェース部２０４、入力装置２１２や出力装置２１４に接続される入出力制御インターフェース部２０８、および、各種のデータベースやファイルなどを格納する記憶部２０６を備えて構成されており、これら各部は任意の通信路を介して通信可能に接続されている。さらに、この患者識別情報管理装置２００は、ルータ等の通信装置（図示せず）および専用線等の有線または無線の通信回線を介して、各種の通信ネットワークに通信可能に接続されている。
【００８０】
図４の記憶部２０６に格納される各種のデータベースやテーブルやファイル（患者識別情報ファイル２０６ａ、および、名寄せ患者識別情報ファイル２０６ｂ）は、固定ディスク装置等のストレージ手段であり、各種処理に用いる各種のプログラムやテーブルやファイルやデータベースやウェブページ用ファイル等を格納する。
【００８１】
これら記憶部２０６の各構成要素のうち、患者識別情報ファイル２０６ａは、患者番号と、対応する患者識別チェック情報とを組み合わせた患者識別情報を格納する格納手段である。
【００８２】
図８は、患者識別情報ファイル２０６ａに格納される情報の一例を示す図である。この患者識別情報ファイル２０６ａに格納される情報は、図８に示すように、患者識別情報が格納されている。
【００８３】
ここで、図８は、例えば、患者識別情報が「Ｔ００１１２３４−Ｋ３９ＣＪＤＪ」であることが示されている。
【００８４】
また、名寄せ患者識別情報ファイル２０６ｂは、患者識別情報の患者識別チェック情報が同一である患者番号を名寄せした情報を格納する格納手段である。
【００８５】
図９は、名寄せ患者識別情報ファイル２０６ｂに格納される情報の一例を示す図である。名寄せ患者識別情報ファイル２０６ｂに格納される情報は、図９に示すように、患者情報の患者識別チェック情報と、患者情報の患者番号とを相互に関連付けて格納されている。
【００８６】
ここで、図９は、例えば、患者識別情報が「Ｔ００１１２３４−Ｋ３９ＣＪＤＪ」である患者と、「Ｓ０４６８４３１−Ｋ３９ＣＪＤＪ」である患者が同一の患者識別チェック情報「Ｋ３９ＣＪＤＪ」であるため、患者番号を名寄せして格納されていることが示されている。
【００８７】
また、図４において、通信制御インターフェース部２０４は、患者識別情報生成装置１００とネットワーク３００（またはルータ等の通信装置）との間における通信制御を行う。すなわち、通信制御インターフェース部２０４は、他の端末と通信回線を介してデータを通信する機能を有する。
【００８８】
また、図４において、入出力制御インターフェース部２０８は、入力装置２１２や出力装置２１４の制御を行う。ここで、出力装置２１４としては、モニタ（家庭用テレビを含む）の他、スピーカを用いることができる（なお、以下においては出力装置２１４をモニタとして記載する場合がある）。また、入力装置２１２としては、バーコードリーダ、キーボード、マウス、および、マイク等を用いることができる。また、モニタも、マウスと協働してポインティングデバイス機能を実現する。
【００８９】
また、図４において、制御部２０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部２０２は、機能概念的に、患者識別情報受信部２０２ａ、名寄せ部２０２ｂを含んで構成されている。
【００９０】
このうち、患者識別情報受信部２０２ａは、患者識別情報を患者識別情報生成装置１００より受信する受信手段である。
【００９１】
また、名寄せ部２０２ｂは、患者識別情報受信部２０２ａにより受信された患者識別情報の患者識別チェック情報が同一である患者番号を名寄せする名寄せ手段である。
【００９２】
なお、これら各部によって行われる処理の詳細については、後述する。
【００９３】
［システムの処理］
次に、このように構成された本実施の形態における本システムの処理の一例について、以下に図１０等を参照して詳細に説明する。
【００９４】
（メイン処理）
図１０は、本実施形態における本システムのメイン処理の一例を示すフローチャートである。
【００９５】
まず、患者識別情報生成装置１００は、患者識別チェック情報生成部１０２ａの処理により、各医療機関、例えば、病院などが個別に管理する、予め患者情報ファイル１０６ａに格納された患者情報から、当該患者情報を数値化した情報である患者識別チェック情報を生成し、患者識別チェック情報ファイル１０６ｂの所定の領域に、予め患者情報ファイル１０６ａに格納された患者番号と対応させて格納する（ステップＳＡ−１）。
【００９６】
ここで、当該患者情報は、例えば、患者の氏名および／または患者の生年月日などでもよい。
【００９７】
また、当該患者番号は、各医療機関、例えば、病院などが個別に管理する各患者に付された当該患者情報と対応する識別番号である。
【００９８】
また、患者情報の数値化には、一方向関数（例えば、ハッシュ関数など）を利用してもよい。このような一方向関数を用いた数値化を行うことにより数値から患者情報を再現することが不可能となり、高い安全性を確保することができるようになる。
【００９９】
ついで、患者識別情報生成装置１００は、患者識別情報作成部１０２ｂの処理により、患者識別チェック情報と対応する患者番号とを組み合わせて患者識別情報を作成し、患者識別情報ファイル１０６ｃの所定の領域に格納する（ステップＳＡ−２）。
【０１００】
ついで、患者識別情報生成装置１００は、患者識別情報送信部１０２ｃの処理により、作成された当該患者識別情報を患者識別情報管理装置２００に送信する（ステップＳＡ−３）。
【０１０１】
ついで、患者識別情報管理装置２００は、患者識別情報受信部２０２ａの処理により、患者識別情報生成装置１００より送信された患者識別情報を受信し、患者識別情報ファイル２０６ａの所定の領域に格納する（ステップＳＡ−４）。
【０１０２】
さらに、患者識別情報管理装置２００は、名寄せ部２０２ｂの処理により、受信された患者識別情報の患者識別チェック情報が同一である患者番号を名寄せし、名寄せ患者識別情報ファイル２０６ｂの所定の領域に格納する（ステップＳＡ−５）。
【０１０３】
これにて、メイン処理が終了する。
【０１０４】
なお、本実施形態において、患者識別情報生成装置１００と、患者識別情報管理装置２００とを、ネットワーク３００を介して通信可能に接続して構成される場合を一例に説明したが、かかる場合に限定されることなく、ネットワーク３００を介さずオフラインで媒体を搬送し、チェックする構成をとってもよい。
【０１０５】
具体的には、患者識別情報生成装置１００は、患者識別チェック情報生成部１０２ａの処理により、各病院が個別に管理する患者の情報である患者情報から患者識別チェック情報を生成してもよい。
【０１０６】
ついで、患者識別情報生成装置１００は、患者識別情報作成部１０２ｂの処理により、生成された患者識別チェック情報と対応する患者の患者番号とを組み合わせて患者識別情報を作成してもよい。
【０１０７】
ついで、患者識別情報管理装置２００は、名寄せ部２０２ｂの処理により、患者識別情報生成装置１００の患者識別情報作成部１０２ｂの処理により作成された患者識別情報の患者識別チェック情報を例えばオフラインで記録媒体を介して搬送および記録し、その患者識別チェック情報に基づいて同一である患者番号を名寄せしてもよい。
【０１０８】
［他の実施の形態］
さて、これまで本発明の実施の形態について説明したが、本発明は、上述した実施の形態以外にも、上記特許請求の範囲に記載した技術的思想の範囲内において種々の異なる実施の形態にて実施されてよいものである。
【０１０９】
例えば、患者識別情報生成装置１００および患者識別情報管理装置２００がスタンドアローンの形態で処理を行う場合を一例に説明したが、患者識別情報生成装置１００および患者識別情報管理装置２００とは別筐体で構成されるクライアント端末からの要求に応じて処理を行い、その処理結果を当該クライアント端末に返却するように構成してもよい。
【０１１０】
また、実施形態において説明した各処理のうち、自動的に行なわれるものとして説明した処理の全部または一部を手動的に行うこともでき、あるいは、手動的に行なわれるものとして説明した処理の全部または一部を公知の方法で自動的に行うこともできる。
【０１１１】
この他、上記文書中や図面中で示した処理手順、制御手順、具体的名称、各種の登録データや検索条件等のパラメータを含む情報、画面例、データベース構成については、特記する場合を除いて任意に変更することができる。
【０１１２】
また、患者識別情報生成装置１００および患者識別情報管理装置２００に関して、図示の各構成要素は機能概念的なものであり、必ずしも物理的に図示の如く構成されていることを要しない。
【０１１３】
例えば、患者識別情報生成装置１００および患者識別情報管理装置２００の各部または各装置が備える処理機能、特に制御部１０２、および、制御部２０２にて行なわれる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。
【０１１４】
すなわち、ＲＯＭまたはＨＤなどの記憶部１０６、および、記憶部２０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭ等にロードされることによって実行され、ＣＰＵと協働して制御部１０２、および、制御部２０２を構成する。
【０１１５】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１１６】
記憶部１０６、および、記憶部２０６に格納される各種のファイル等（記憶部１０６：患者情報ファイル１０６ａ〜患者識別情報ファイル１０６ｃ、記憶部２０６：患者識別情報ファイル２０６ａおよび名寄せ患者識別情報ファイル２０６ｂ）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやファイルやデータベースやウェブページ用ファイル等を格納する。
【０１１７】
また、患者識別情報生成装置１００および患者識別情報管理装置２００は、既知のパーソナルコンピュータ、ワークステーション等の情報処理端末等の情報処理装置にプリンタやモニタやイメージスキャナ等の周辺装置を接続し、該情報処理装置に本発明の方法を実現させるソフトウェア（プログラム、データ等を含む）を実装することにより実現してもよい。
【０１１８】
また、患者識別情報生成装置１００および患者識別情報管理装置２００の分散・統合の具体的形態は図示のものに限られず、その全部または一部を、各種の負荷等に応じた任意の単位で、機能的または物理的に分散・統合して構成することができる。例えば、各データベースを独立したデータベース装置として独立に構成してもよく、また、処理の一部をＣＧＩ（Ｃｏｍｍｏｎ  Ｇａｔｅｗａｙ  Ｉｎｔｅｒｆａｃｅ）を用いて実現してもよい。
【０１１９】
さらに、ネットワーク３００は、患者識別情報生成装置１００と患者識別情報管理装置２００とを相互に接続する機能を有し、例えば、インターネットや、イントラネットや、ＬＡＮ（有線／無線の双方を含む）や、ＶＡＮや、パソコン通信網や、公衆電話網（アナログ／デジタルの双方を含む）や、専用回線網（アナログ／デジタルの双方を含む）や、ＣＡＴＶ網や、ＩＭＴ２０００方式、ＧＳＭ方式またはＰＤＣ／ＰＤＣ−Ｐ方式等の携帯回線交換網／携帯パケット交換網や、無線呼出網や、Ｂｌｕｅｔｏｏｔｈ等の局所無線網や、ＰＨＳ網や、ＣＳ、ＢＳまたはＩＳＤＢ等の衛星通信網等のうちいずれかを含んでもよい。すなわち、本システムは、有線・無線を問わず任意のネットワークを介して、各種データを送受信することができる。
【０１２０】
【発明の効果】
以上、詳細に説明したように、本発明によれば、患者識別情報生成装置は、各病院が個別に管理する患者の情報である患者情報から患者識別チェック情報を生成し、生成された患者識別チェック情報と対応する患者の患者番号とを組み合わせて患者識別情報を作成し、作成された患者識別情報を患者識別情報管理装置に送信し、患者識別情報管理装置は、送信された患者識別情報を受信し、受信された患者識別情報の患者識別チェック情報が同一である患者番号を名寄せするので、患者の２重登録を防ぐことができ、研究機関はより正確なデータを収集できる患者情報管理システムおよび患者情報管理方法を提供することができる。
【０１２１】
また、本発明によれば、医療機関は、既存システムの変更をする必要がなく、また、研究機関は、患者の氏名等の特定をせずに名寄せを行うことができ、容易に研究に協力できる患者情報管理システム、および、患者情報管理方法を提供することができる。
【０１２２】
また、本発明によれば、患者情報の数値化には、一方向関数（例えば、ハッシュ関数など）を利用してもよく、このような一方向関数を用いた数値化を行うことにより数値から患者情報を再現することが不可能となり、高い安全性を確保することができるようになる患者情報管理システム、および、患者情報管理方法を提供することができる。
【０１２３】
また、本発明によれば、患者情報は、患者の氏名および／または生年月日であるので、これらの各患者の必須項目に基づいて個人を明確に識別することができるため、医療機関による導入負担を少なく実現することができる患者情報管理システム、および、患者情報管理方法を提供することができる。
【０１２４】
また、本発明によれば、各病院が個別に管理する患者の情報である患者情報から患者識別チェック情報を生成し、生成された患者識別チェック情報と対応する患者の患者番号とを組み合わせて患者識別情報を作成するので、医療機関は既存システムの変更をする必要がなく、容易に患者識別情報を作成できる患者識別情報生成装置を提供することができる。
【０１２５】
また、本発明によれば、患者情報の数値化には、一方向関数（例えば、ハッシュ関数など）を利用してもよく、このような一方向関数を用いた数値化を行うことにより数値から患者情報を再現することが不可能となり、高い安全性を確保することができるようになる患者識別情報生成装置を提供することができる。
【０１２６】
また、本発明によれば、チェックデジットを付加して患者識別情報を送信するので、患者の氏名等を特定せずに容易にインターネット等で患者識別情報の送信ができ、安全性を高く維持したまま情報の共有化を図ることができる患者識別情報生成装置を提供することができる。
【０１２７】
また、本発明によれば、患者情報は、患者の氏名および／または生年月日であるので、これらの各患者の必須項目に基づいて個人を明確に識別することができるため、医療機関による導入負担を少なく実現することができる患者識別情報生成装置を提供することができる。
【０１２８】
また、本発明によれば、患者識別チェック情報と対応する患者の患者番号とを組み合わせた患者識別情報を受信し、受信された患者識別情報の患者識別チェック情報が同一である患者番号を名寄せするので、患者の２重登録を防ぐことができ、研究機関はより正確なデータを収集できる患者識別情報管理装置を提供することができる。
【０１２９】
また、本発明によれば、研究機関は、患者の氏名等の特定をせずに名寄せを行うことができ、容易に研究に協力できる患者識別情報管理装置を提供することができる。
【０１３０】
また、本発明によれば、患者識別情報生成装置は、各病院が個別に管理する患者の情報である患者情報から患者識別チェック情報を生成し、生成された患者識別チェック情報と対応する患者の患者番号とを組み合わせて患者識別情報を作成し、患者識別情報管理装置は、患者識別情報生成装置にて作成された患者識別情報の患者識別チェック情報を例えばオフラインで記録媒体を介して搬送および記録し、その患者識別チェック情報に基づいて同一である患者番号を名寄せするので、患者の２重登録を防ぐことができ、研究機関はより正確なデータを収集できる患者情報管理システムを提供することができる。
【０１３１】
また、本発明によれば、医療機関は、既存システムの変更をする必要がなく、また、研究機関は、患者の氏名等の特定をせずに名寄せを行うことができ、容易に研究に協力できる患者情報管理システムを提供することができる。
【０１３２】
また、本発明によれば、患者情報の数値化には、一方向関数（例えば、ハッシュ関数など）を利用してもよく、このような一方向関数を用いた数値化を行うことにより数値から患者情報を再現することが不可能となり、高い安全性を確保することができるようになる患者情報管理システムを提供することができる。
【０１３３】
また、本発明によれば、患者情報は、患者の氏名および／または生年月日であるので、これらの各患者の必須項目に基づいて個人を明確に識別することができるため、医療機関による導入負担を少なく実現することができる患者情報管理システムを提供することができる。
【０１３４】
また、本発明によれば、患者識別チェック情報と対応する患者の患者番号とを組み合わせた患者識別情報の患者識別チェック情報を例えばオフラインで記録媒体を介して搬送および記録し、その患者識別チェック情報に基づいて同一である患者番号を名寄せするので、患者の２重登録を防ぐことができ、研究機関はより正確なデータを収集できる患者識別情報管理装置を提供することができる。
【０１３５】
また、本発明によれば、研究機関は、患者の氏名等の特定をせずに名寄せを行うことができ、容易に研究に協力できる患者識別情報管理装置を提供することができる。
【図面の簡単な説明】
【図１】本発明における患者情報管理システムの概要を示す図である。
【図２】本発明における患者情報管理システムの基本原理を示す図である。
【図３】本発明が適用される患者識別情報生成装置１００のシステム構成の一例を示すブロック図である。
【図４】本発明が適用される患者識別情報管理装置２００のシステム構成の一例を示すブロック図である。
【図５】患者情報ファイル１０６ａに格納される情報の一例を示す図である。
【図６】患者識別チェック情報ファイル１０６ｂに格納される情報の一例を示す図である。
【図７】患者識別情報ファイル１０６ｃに格納される情報の一例を示す図である。
【図８】患者識別情報ファイル２０６ａに格納される情報の一例を示す図である。
【図９】名寄せ患者識別情報ファイル２０６ｂに格納される情報の一例を示す図である。
【図１０】本実施形態における本システムのメイン処理の一例を示すフローチャートである。
【符号の説明】
１００  患者識別情報生成装置
１０２  制御部
１０２ａ  患者識別チェック情報生成部
１０２ｂ  患者識別情報作成部
１０２ｃ  患者識別情報送信部
１０４  通信制御インターフェース部
１０６  記憶部
１０６ａ  患者情報ファイル
１０６ｂ  患者識別チェック情報ファイル
１０６ｃ  患者識別情報ファイル
１０８  入出力制御インターフェース部
１１２  入力装置
１１４  出力装置
２００  患者識別情報管理装置
２０２  制御部
２０２ａ  患者識別情報受信部
２０２ｂ  名寄せ部
２０４  通信制御インターフェース部
２０６  記憶部
２０６ａ  患者識別情報ファイル
２０６ｂ  名寄せ患者識別情報ファイル
２０８  入出力制御インターフェース部
２１２  入力装置
２１４  出力装置
３００  ネットワーク
【図１】
2004287604.tif 000003
【図２】
2004287604.tif 000004
【図３】
2004287604.tif 000005
【図４】
2004287604.tif 000006
【図５】
2004287604.tif 000007
【図６】
2004287604.tif 000008
【図７】
2004287604.tif 000009
【図８】
2004287604.tif 000010
【図９】
2004287604.tif 000011
【図１０】
2004287604.tif 000012